(57)【要約】      （修正有）【課題】納骨室内に太陽光を採り入れる矩形状の半透明体と外気との通気を行う通気筒とを一体型に備えた納骨室内の納骨室内の採光換気装置を提供する。【解決手段】納骨室内の採光換気装置Ａは、中心に円形貫通孔を設けた矩形の天板１と該天板１端から直角に延長した４つの側壁２，２，２，２とし、底面を開放させた半透明体３と、前記天板１に設けた円形貫通孔に嵌合して、中央部に金網付き換気孔４を備えた椀型頭部５と該椀型頭部５に固定された円筒体とからなる通気筒６とから構成される。また、前記椀型頭部５の金網付き換気孔４に代えて、前記円筒体８の上部周面に複数個の換気穴を設けても良い。【選択図】図２
0003183260.tif 000002
【実用新案登録請求の範囲】
【請求項１】
中心に円形貫通孔を設けた矩形の天板と該天板端から直角に延長した４つの側壁とし、底面を開放させた半透明体と、前記天板に設けた円形貫通孔に嵌合して、中央部に金網付き換気孔を備えた椀型頭部と該椀型頭部に固定された円筒体とからなる通気筒とから構成されることを特徴とする納骨室内の採光換気装置。
【請求項２】
中心に円形貫通孔を設けた矩形の天板と該天板端から直角に延長した４つの側壁とし、底面を開放させた半透明体と、前記天板に設けた円形貫通孔に嵌合して、椀型頭部と該椀型頭部に固定され、上部周面に複数個の換気穴を設けた円筒体とからなる通気筒とから構成されることを特徴とする納骨室内の採光換気装置。
【考案の詳細な説明】
【技術分野】
【０００１】
本考案は、納骨室内に太陽光を採り入れると共に外気との通気を行う納骨室内の採光換気装置に関するものである。
【背景技術】
【０００２】
従来、お墓の中、すなわち納骨室は、一般的に通気性が悪く湿気が溜まりやすい構造になっており、湿気が多いのが少なくありません。普段見えない納骨室、骨壷などの中に、湿気の高い梅雨時や夏をむかえる時には特に結露による水が溜まったり、そのことが原因で虫等が住みついたりすることが多く、業界でも改善すべき課題として注目されていました。
【０００３】
そして、墓における納骨室が暗い、汚い、臭い、というイメージを払拭させ死後も清潔な場所で陽に当たり、風の通る中で四季を感じ快適に居たい、居たせたいという心情的な見地から納骨室内に太陽の光を広く採り入れ、通気を図り、除湿、除菌、消臭、虫などの発生を防ぐ、墓における納骨室が開発されている（特許文献１を参照）。
この公知技術は、平面から見て四角形に構成した納骨室壁板のコンクリート、石材や、蓋体に穴開け加工した開口部にプリズムガラス、ガラスブロックを嵌めこみ固定し太陽の光を上方と斜め横上方の両方から広く、奥深い空間まで採り入れると共に、前記納骨室壁板に吸気口と排気口の距離差を取り納骨室内部と外部を通じる位置に穴開け加工を施し、通気により空気の淀みを防ぎ湿気を滞留させない換気孔を設け、該換気孔に網付きキャップを嵌め合わせた、墓における納骨室である。
これにより、納骨室内に採光と換気（通気）の二つの機能を同時に行うことができるが、納骨室壁板の穴開け加工が多くなり製作に手間がかかる等の欠点があった。
【０００４】
また、採光用の円形透明板と数個の換気孔を一体型に設けたカロウドの明り取り装置が知られている（特許文献２を参照）。
この公知技術は、カロウドの蓋体に、採光用の円形透明板と数個の換気孔を一体型に備えたカロウドの明り取り装置を挿着し、該明り取り装置を下方より止着具により緊締するもので取り付けが容易であり、加えて頭部の透明板より外光を取り入れると共に、透明板下方に設けられた数個の換気孔よりカロウド内の空気を清浄に保つカロウドの明り取り装置である。
これにより、納骨室内に採光と換気（通気）の二つの機能を同時に行うことができるが、頭部からの採光のため、採光面積が狭いことや大きさが限定される等の欠点があった。
【先行技術文献】
【特許文献】
【０００５】
【特許文献１】特開２００２−１０６２０９号公報（図４を参照）
【特許文献２】実用新案登録第３０４５７８４号公報（図１を参照）
【考案の概要】
【考案が解決しようとする課題】
【０００６】
本考案は、納骨室内に太陽光を採り入れる矩形状の半透明体と外気との通気を行う通気筒とを一体型に備えた納骨室内の納骨室内の採光換気装置を提供することを目的とする。
【課題を解決するための手段】
【０００７】
本考案の納骨室内の採光換気装置は、中心に円形貫通孔を設けた矩形の天板と該天板端から直角に延長した４つの側壁とし、底面を開放させた半透明体と、前記天板に設けた円形貫通孔に嵌合して、中央部に金網付き換気孔を備えた椀型頭部と該椀型頭部に固定された円筒体とからなる通気筒とから構成される。
また、本考案の納骨室内の採光換気装置は、中心に円形貫通孔を設けた矩形の天板と該天板端から直角に延長した４つの側壁とし、底面を開放させた半透明体と、前記天板に設けた円形貫通孔に嵌合して、椀型頭部と該椀型頭部に固定され、上部周面に複数個の換気穴を設けた円筒体とからなる通気筒とから構成される。
【考案の効果】
【０００８】
本考案の納骨室内の採光換気装置は、中心に円形貫通孔を設けた矩形の天板と該天板端から直角に延長した４つの側壁とし、底面を開放させた半透明体と、前記天板に設けた円形貫通孔に嵌合して、中央部に金網付き換気孔を備えた椀型頭部と該椀型頭部に固定された円筒体とからなる通気筒とから構成されるため、納骨室の壁板に取り付けて納骨室の採光と換気（通気）の二つの機能を同時に行うことができるし、採光面積を広く取ることができる。
本考案の納骨室内の採光換気装置は、中心に円形貫通孔を設けた矩形の天板と該天板端から直角に延長した４つの側壁とし、底面を開放させた半透明体と、前記天板に設けた円形貫通孔に嵌合して、椀型頭部と該椀型頭部に固定され、上部周面に複数個の換気穴を設けた円筒体とからなる通気筒とから構成されるため、納骨室の蓋体に取り付けて納骨室の採光と換気（通気）の二つの機能を同時に行うことができるし、採光面積を広く取ることができる。
【図面の簡単な説明】
【０００９】
【図１】本考案の納骨室内の採光換気装置の斜視図である。
【図２】本考案の納骨室内の採光換気装置の断面図である。
【図３】本考案の納骨室内の採光換気装置の他の実施例の断面図である。
【図４】本考案の納骨室内の採光換気装置を採用した墓石の側面図である。
【図５】図４のＣ−Ｃ矢視断面図である。
【考案を実施するための形態】
【００１０】
本考案の納骨室内の採光換気装置の一実施例を添付図面に基づいて、以下に説明する。
図１の斜視図に示すように、本考案の納骨室内の採光換気装置Ａは、中心に円形貫通孔（図示せず）を設けた矩形の天板１と該天板１端から直角に延長した４つの側壁２，２，２，２とし、底面を開放させた半透明体３と、前記天板１に設けた円形貫通孔（図示せず）に嵌合して、中央部に金網付き換気孔４を備えた椀型頭部５と該椀型頭部５に固定された円筒体（図示せず）とからなる通気筒６とから構成される。
【００１１】
前記半透明体３は、光を透過する材料、例えばガラスブロックから成り、図２の断面図に示すように、中心に円形貫通孔７を設けた矩形の天板１と該天板１端から直角に延長した４つの側壁２，２，２，２とし、底面を開放させる。
前記側壁２，２，２，２は、先細りとなるようにテーパ面に形成し、コンクリートや石材の納骨室の壁板又は蓋体に形成した取付穴（図示せず）に嵌合し易くする。
【００１２】
前記通気筒６は、ステンレス等の金属製からなり、中央部に金網付き換気孔４を備えた椀型頭部５と該椀型頭部５に固定された中空の円筒体８とからなる。
前記円筒体８の外周面には、複数個の板バネ式のストッパー片９を設け、図２の左側から前記通気筒６を前記円形貫通孔７に挿入し、前記ストッパー片９が前記円形貫通孔７にバネ係合することにより前記通気筒６を保持させる。
【００１３】
次に、本考案の納骨室内の採光換気装置の他の実施例を添付図面に基づいて、以下に説明する。
図３に示すように、上方から雨水等が浸入しないように、前記椀型頭部５の金網付き換気孔４に代えて、前記円筒体８の上部周面に複数個の換気穴１０を設けたものである。
本考案の納骨室内の採光換気装置Ｂは、中心に円形貫通孔７を設けた矩形の天板１と該天板１端から直角に延長した４つの側壁２，２，２，２とし、底面を開放させた半透明体３と、前記天板１に設けた円形貫通孔７に嵌合して、椀型頭部５と該椀型頭部５に固定され、上部周面に複数個の換気穴１０を設けた円筒体８とからなる通気筒１１とから構成される。
【００１４】
前記半透明体３は、光を透過する材料、例えばガラスブロックから成り、中心に円形貫通孔７を設けた矩形の天板１と該天板１端から直角に延長した４つの側壁２，２，２，２とし、底面を開放させる。
前記側壁２，２，２，２は、先細りとなるようにテーパ面に形成し、コンクリートや石材の納骨室の蓋体に形成した取付穴（図示せず）に嵌合し易くする。
【００１５】
前記通気筒１１は、ステンレス等の金属製からなり、椀型頭部５と該椀型頭部５に固定さ、上部周面に複数個の換気穴１０を設けた中空の円筒体８とからなる。
図３の上側から前記通気筒１１を前記円形貫通孔７に挿入し、前記ストッパー片９が前記円形貫通孔７にバネ係合することにより前記通気筒１１を保持させる。その際、前記換気穴１０が前記天板１より上方に位置するようにし、納骨室の蓋体に設けた取付穴（図示せず）に取り付けて上方から雨水等が直接浸入しないようにする。
【００１６】
次に、本考案の納骨室内の採光換気装置の使用状態を添付図面に基づいて、以下に説明する。
図４の側面図に示すように、墓石本体１２の下部に設けた土台１３の納骨室１４の壁板１５に取付穴（図示せず）を形成し、本考案の納骨室内の採光換気装置Ａを挿入嵌合させ、また、納骨室１４の蓋体１６に取付穴（図示せず）を形成し、本考案の納骨室内の採光換気装置Ｂを挿入嵌合させる。
そして、図５の図４Ｃ−Ｃ矢視断面図に示すように、この例では正面、左右側面及び背面の４個所に取付穴（図示せず）を形成して本考案の採光換気装置Ａを取り付けて納骨室１４内に採光および通気を行うようにしているが、これに限らない。
【符号の説明】
【００１７】
１  天板
２  側壁
３  半透明体
４  金網付き換気孔
５  椀型頭部
６  通気筒
７  円形貫通孔
８  円筒体
９  ストッパー片
１０  換気穴
１１  通気筒
１２  墓石本体
１３  土台
１４  納骨室
１５  壁板
１６  蓋体
【図１】
0003183260.tif 000003
【図２】
0003183260.tif 000004
【図３】
0003183260.tif 000005
【図４】
0003183260.tif 000006
【図５】
0003183260.tif 000007